(57)【要約】【課題】複数の携帯端末の間で画像を共有する際の利便性を向上させる画像共有システム、プログラム及び携帯端末を提供すること。【解決手段】本発明の画像共有システムは、複数の携帯端末と、情報処理装置とを含む。携帯端末が備えるプログラムは、無線通信媒体から近距離無線通信によって照合情報を取得し、照合情報を情報処理装置に送信する。情報処理装置は、携帯端末が送信した照合情報と、記憶手段に保存されている照合情報とを照合して照合結果を携帯端末に送信する。携帯端末は、情報処理装置から成功を示す照合結果を受信すると、携帯端末に対する操作情報を他の携帯端末に送信する。【選択図】図１
2015135597.tif 000002
【特許請求の範囲】
【請求項１】
複数の携帯端末の間で表示画像を共有する画像共有システムであって、前記画像共有システムは、複数の携帯端末と、情報処理装置とを含み、
前記携帯端末が備えるプログラムは、
無線通信媒体から近距離無線通信によって照合情報を取得する取得手段と、
前記照合情報を前記情報処理装置に送信する手段と、
前記情報処理装置から成功を示す照合結果を受信した場合に、携帯端末に対する操作を示す操作情報又は携帯端末に表示されている画像を送信する手段とを備え、
前記情報処理装置は、
前記携帯端末が送信した照合情報と、記憶手段に保存されている照合情報とを照合する照合手段と、
前記照合手段による照合結果を前記携帯端末に送信する手段とを備える、画像共有システム。
【請求項２】
複数の携帯端末の間で表示画像を共有する画像共有システムであって、
無線通信媒体から近距離無線通信によって第１の照合情報を取得する取得手段と、
前記第１の照合情報を送信する手段と、
前記第１の照合情報を受信した場合に、前記第１の照合情報と、記憶手段に保存されている第２の照合情報とを照合する照合手段と、
前記照合手段による照合結果を送信する手段と、
成功を示す照合結果を受信した場合に、携帯端末に対する操作を示す操作情報又は携帯端末に表示されている画像を送信する手段と
を備える、画像共有システム。
【請求項３】
前記照合情報は、無線通信媒体の識別情報又は役割情報であることを特徴とする、請求項１又は２に記載の画像共有システム。
【請求項４】
複数の携帯端末の間で表示画像を共有させるプログラムであって、前記プログラムは、前記携帯端末が、
無線通信媒体から近距離無線通信によって照合情報を取得するステップと、
前記照合情報を情報処理装置に送信するステップと、
前記情報処理装置から成功を示す照合結果を受信した場合に、携帯端末に対する操作を示す操作情報又は携帯端末に表示されている画像を送信するステップと
を実行させるためのプログラム。
【請求項５】
他の携帯端末と表示画像を共有する携帯端末であって、
無線通信媒体から近距離無線通信によって照合情報を取得する取得手段と、
前記取得手段が取得した照合情報と、記憶手段に保存されている照合情報とを照合する照合手段と、
照合が成功した場合に、携帯端末に対する操作を示す操作情報又は携帯端末に表示されている画像を送信する送信手段と
を備える、携帯端末。
【請求項６】
前記照合情報は、無線通信媒体の識別情報又は役割情報であることを特徴とする、請求項５に記載の携帯端末。
【請求項７】
複数の携帯端末の間で表示画像を共有させるプログラムであって、前記プログラムは、前記携帯端末が、
無線通信媒体から近距離無線通信によって照合情報を取得するステップと、
取得した照合情報と、記憶手段に保存されている照合情報とを照合するステップと、
照合が成功した場合に、携帯端末に対する操作を示す操作情報又は携帯端末に表示されている画像を送信するステップと
を実行させるためのプログラム。
【請求項８】
前記照合情報は、無線通信媒体の識別情報又は役割情報であることを特徴とする、請求項４又は７に記載のプログラム。
【発明の詳細な説明】
【技術分野】
【０００１】
本発明は、画像共有システムに関し、特に、複数の携帯端末の間で表示画像を共有する画像共有システム、プログラム及び携帯端末に関する。
【背景技術】
【０００２】
近年、タブレット型ＰＣやスマートフォン等の携帯端末の普及に伴い、企業などで携帯端末を利用した打ち合わせやプレゼンテーションなどが開かれるようになっている。
【０００３】
このような携帯端末を利用した会議支援システムの一例として、特許文献１は、１台の情報端末に表示された画像を他の情報端末に表示させる電子会議システムを開示する。この電子会議システムでは、画像の共有を要望する発表者が発表モード設定スイッチを押下すると、発表者が利用するクライアントから他のクライアントにページ情報を送信し、当該ページ情報に応じた会議資料を表示することによって表示画像を共有する。
【０００４】
しかしながら、特許文献１が開示する電子会議システムでは、複数の携帯端末の間で表示画像を共有するために、ユーザがわざわざ発表モード設定スイッチを押下しなければならず、ユーザビリティが低いという問題があった。
【発明の概要】
【発明が解決しようとする課題】
【０００５】
本発明は、上述した従来技術の問題点に鑑みてなされたものであり、複数の携帯端末の間で画像を共有する際の利便性を向上させる画像共有システム、プログラム及び携帯端末を提供することを目的とする。
【課題を解決するための手段】
【０００６】
本発明の画像共有システムは、複数の携帯端末と、情報処理装置とを含む。携帯端末が備えるプログラムは、無線通信媒体から近距離無線通信によって照合情報を取得し、照合情報を情報処理装置に送信する。情報処理装置は、携帯端末が送信した照合情報と、記憶手段に保存されている照合情報とを照合して照合結果を携帯端末に送信する。携帯端末は、情報処理装置から成功を示す照合結果を受信すると、携帯端末に対する操作情報を他の携帯端末に送信する。
【発明の効果】
【０００７】
本発明は、上記手段を採用することにより、複数の携帯端末の間で画像を共有する際の利便性を向上させることができる。
【図面の簡単な説明】
【０００８】
【図１】本発明の画像共有システムの一実施形態を示す図。
【図２】携帯端末１２０ａのハードウェア構成を示す図。
【図３】サーバ１５０のハードウェア構成を示す図。
【図４】図１に係る実施形態の携帯端末１２０ａ及びサーバ１５０の機能構成を示す図。
【図５】画像共有システム１００が実行する処理の一実施形態を示すシーケンス図。
【図６】図１〜図５に示す実施形態の携帯端末が実行する処理の一実施形態を示すフローチャート。
【図７】本発明のサーバが実行する処理の一実施形態を示すフローチャート。
【図８】本発明の画像共有システムの別の実施形態を示す図。
【図９】画像共有システム８００が実行する処理の一実施形態を示すシーケンス図。
【図１０】図８及び図９に示す実施形態の携帯端末が実行する処理の一実施形態を示すフローチャート。
【発明を実施するための形態】
【０００９】
以下、本発明の実施形態について説明するが、本発明は後述する実施形態に限定されるものではない。図１は、本発明の画像共有システムの一実施形態を示す図である。
【００１０】
画像共有システム１００は、携帯端末１２０ａ〜１２０ｄと、近距離無線通信（ＮＦＣ：Near Field Communication）タグ１３０と、アクセスポイント１４０と、サーバ１５０とを含む。アクセスポイント１４０及びサーバ１５０は、ＬＡＮやインターネット等の種々のネットワークを含んで構成されるネットワーク１１０を介して接続される。
【００１１】
携帯端末１２０ａ〜１２０ｄは、スマートフォンやタブレット型ＰＣ、ノート型ＰＣ等の情報処理装置である。携帯端末１２０ａ〜１２０ｄは、アクセスポイント１４０を介して、種々の情報を相互に通信する。また、携帯端末１２０ａ〜１２０ｄは、アクセスポイント１４０及びネットワーク１１０を介して、サーバ１５０と種々の情報を通信する。
【００１２】
携帯端末１２０ａ〜１２０ｄは、ＷｉＦｉ（登録商標）やＢｌｕｅｔｏｏｔｈ（登録商標）等の無線通信によってアクセスポイント１４０とデータ通信を行う。また、携帯端末１２０ａ〜１２０ｄは、近距離無線通信によってＮＦＣタグ１３０とデータ通信を行う。
【００１３】
ＮＦＣタグ１３０は、近距離無線通信が可能な無線通信媒体である。ＮＦＣタグ１３０は、携帯端末１２０ａ〜１２０ｄが接近して通電すると、当該ＮＦＣタグが保持する照合情報を携帯端末１２０ａ〜１２０ｄに送信する。
【００１４】
サーバ１５０は、携帯端末１２０ａ〜１２０ｄとの間で種々の情報を通信する情報処理装置である。サーバ１５０は、携帯端末１２０ａ〜１２０ｄの要求に応じて、種々の処理を実行する。
【００１５】
図２は、携帯端末１２０ａのハードウェア構成を示す図である。以下、図２を参照して、携帯端末１２０ａのハードウェア構成について説明する。なお、携帯端末１２０ｂ〜１２０ｄのハードウェア構成は、携帯端末１２０ａと同じであるため、説明を省略する。
【００１６】
携帯端末１２０ａは、ＣＰＵ２００と、ＲＡＭ２０１と、ＲＯＭ２０２と、ＳＤＤ２０３と、表示装置２０４と、操作部２０５と、通信装置２０６とを備える。ＣＰＵ２００は、携帯端末１２０ａの動作を制御するプロセッサである。ＲＡＭ２０１は、携帯端末１２０ａが実行する種々のプログラムの実行空間を提供する揮発性の記憶装置である。ＲＯＭ２０２は、種々のデータが記憶される不揮発性の記憶装置である。ＳＤＤ２０３は、本発明のプログラムなどの種々のデータを持続的に保存可能な記憶装置である。
【００１７】
ＣＰＵ２００は、種々のＯＳの管理下でＳＤＤ２０３から本発明のプログラムを読み出し、ＲＡＭ２０１に展開して実行することにより、後述する機能を携帯端末１２０ａ上に実現する。
【００１８】
表示装置２０４は、携帯端末１２０ａ上で種々の画面を表示する装置である。表示装置２０４は、種々の画面を表示すると共に、当該画面を介してユーザから種々の指示を受け付ける。操作部２０５は、携帯端末１２０ａに対するユーザ指示を受け付ける装置である。操作部２０５は、操作ボタンや電源ボタン等によって構成される。通信装置２０６は、無線によるデータ通信を行う装置である。
【００１９】
図３は、サーバ１５０のハードウェア構成を示す図である。以下、図３を参照して、サーバ１５０のハードウェア構成について説明する。
【００２０】
サーバ１５０は、ＣＰＵ３００と、ＲＯＭ３０１と、ＲＡＭ３０２と、ＨＤＤ３０３と、ネットワークインタフェース（Ｉ／Ｆ）３０４とを含んで構成される。
【００２１】
ＣＰＵ３００は、サーバ１５０の動作を制御するプロセッサである。ＲＯＭ３０１は、種々のデータが記憶される不揮発性の記憶装置である。ＲＡＭ３０２は、サーバ１５０が実行する種々のプログラムの実行空間を提供する揮発性の記憶装置である。ネットワークインタフェース３０４は、ネットワーク１１０を介した通信を可能にする物理インタフェースである。
【００２２】
ＨＤＤ３０３は、本発明のプログラムなどの種々のデータを持続的に保存可能な記憶装置である。ＨＤＤ３０３には、照合情報が保存される。本実施形態では、照合情報としてＮＦＣタグ１３０の識別情報が利用される。ＣＰＵ３００は、種々のＯＳの管理下で、ＨＤＤ３０３から本発明のプログラムを読み出し、ＲＡＭ３０２に展開して実行することにより、後述する機能をサーバ１５０上に実現する。
【００２３】
図４は、図１に係る実施形態の携帯端末１２０ａ及びサーバ１５０の機能構成を示す図である。以下、図４を参照して、携帯端末１２０ａ及びサーバ１５０が有する機能について説明する。
【００２４】
携帯端末１２０ａは、通信制御部４００と、表示制御部４０１と、指示受付部４０２と、記憶部４０３と、画像共有アプリ４０４とを有する。通信制御部４００は、通信装置２０６を介した通信を制御する手段である。通信制御部４００は、画像共有アプリ４０４の要求に応じて、種々の情報を他の携帯端末及びサーバ１５０と通信する。
【００２５】
表示制御部４０１は、表示装置２０４を制御する手段である。表示制御部４０１は、画像共有アプリ４０４の要求に応じて、種々の画像を表示装置２０４に表示する。
【００２６】
指示受付部４０２は、ユーザ指示を受け付ける手段である。指示受付部４０２は、表示装置２０４及び操作部２０５を介してユーザが指示した内容を示す情報を画像共有アプリ４０４に通知する。
【００２７】
記憶部４０３は、携帯端末１２０ａの記憶装置を制御する手段である。記憶部４０３は、画像共有アプリ４０４の要求に応じて、ＲＡＭ２０１、ＲＯＭ２０２及びＳＤＤ２０３を制御する。
【００２８】
画像共有アプリ４０４は、複数の携帯端末で表示画像を共有させるプログラムである。画像共有アプリ４０４は、発表者モードと参加者モードの２つの動作モードを提供する。
【００２９】
各携帯端末が共有対象のドキュメントデータをサーバ１５０からダウンロートする実施形態では、動作モードが発表者モードの画像共有アプリ４０４が、他の携帯端末に対し、ユーザによるページの切り換え操作によって表示装置２０４に表示されるドキュメントのページ番号等の操作情報を送信する。動作モードが参加者モードの画像共有アプリ４０４は、他の携帯端末から受信する操作情報が示すページを表示装置２０４に表示する。
【００３０】
携帯端末１２０ａ，１２０ｂ，１２０ｃのいずれかが共有対象のドキュメントデータを保持する実施形態では、動作モードが発表者モードの画像共有アプリ４０４が、表示装置２０４に表示されている共有対象の画像を他の携帯端末に送信し、動作モードが参加者モードの画像共有アプリ４０４が、他の携帯端末から受信する画像を表示装置２０４に表示することができる。なお、画像共有アプリ４０４が実行する処理については、図５及び図６を参照して詳述する。
【００３１】
サーバ１５０は、通信制御部４０５と、記憶部４０６と、画像共有管理アプリ４０７とを有する。通信制御部４０５は、ネットワークインタフェース３０４を介した通信を制御する手段である。通信制御部４０５は、画像共有管理アプリ４０７の要求に応じて、種々の情報を携帯端末１２０ａ〜１２０ｄと通信する。
【００３２】
記憶部４０６は、携帯端末１２０ａの記憶装置を制御する手段である。記憶部４０６は、画像共有管理アプリ４０７の要求に応じて、ＲＯＭ３０１、ＲＡＭ３０２及びＨＤＤ３０３を制御する。
【００３３】
画像共有管理アプリ４０７は、複数の携帯端末１２０ａ〜１２０ｄによる画像共有を管理するプログラムである。画像共有管理アプリ４０７は、携帯端末１２０ａ〜１２０ｄの要求に応じた処理を実行する。画像共有管理アプリ４０７が実行する処理については、図５及び図７を参照して詳述する。
【００３４】
図５は、画像共有システム１００が実行する処理の一実施形態を示すシーケンス図である。以下、図５を参照して、携帯端末１２０ａのユーザが発表者となる場合について説明する。
【００３５】
まず、携帯端末１２０ａ，１２０ｂのユーザが、それぞれ画像共有アプリを起動する。本実施形態では、起動時の画像共有アプリの動作モードは、参加者モードである。次に、携帯端末１２０ａのユーザが画像共有アプリの表示画面を利用して、会議の開始を指示すると、携帯端末１２０ａは、会議の開始要求と共に、携帯端末１２０ａの識別情報をサーバ１５０に送信する。本実施形態では、携帯端末１２０ａの識別情報としてＩＰアドレスを採用する。
【００３６】
サーバ１５０は、会議の開始要求を受信すると、会議の識別情報を生成し、当該会議の識別情報と携帯端末１２０ａの識別情報とを関連付けてサーバ１５０の記憶装置に保存する。本実施形態では、サーバ１５０が、携帯端末１２０ａの要求に応じて会議の識別情報を生成するが、他の実施形態では、管理者がサーバ１５０を操作して会議の識別情報を生成してもよい。
【００３７】
次に、携帯端末１２０ｂのユーザが、画像共有アプリの表示画面を利用して会議の識別情報の取得を指示すると、携帯端末１２０ｂは、会議の識別情報の取得要求をサーバ１５０に送信する。サーバ１５０は、会議の識別情報の取得要求を受信すると、サーバ１５０が保持している総ての会議の識別情報を携帯端末１２０ｂに送信する。携帯端末１２０ｂは、サーバ１５０から会議の識別情報を受信すると、会議の識別情報を携帯端末１２０ｂの画面に表示する。
【００３８】
次いで、携帯端末１２０ｂのユーザが画像共有アプリの表示画面を利用して、参加すべき会議を選択すると、携帯端末１２０ｂは、会議の参加要求と共に、ユーザが選択した会議の識別情報及び携帯端末１２０ｂの識別情報をサーバ１５０に送信する。図５に示す実施形態では、携帯端末１２０ａの会議の開始要求によって生成された会議の識別情報が選択されたものとする。
【００３９】
サーバ１５０は、携帯端末１２０ｂから会議の参加要求を受信すると、既に携帯端末１２０ａの識別情報が関連付けられている会議の識別情報に対し、携帯端末１２０ｂの識別情報を関連付けて保存する。
【００４０】
次に、携帯端末１２０ａのユーザが、携帯端末１２０ａをＮＦＣタグ１３０にかざすと、携帯端末１２０ａがＮＦＣタグ１３０を検出し、ＮＦＣタグ１３０から照合情報であるＮＦＣタグ１３０の識別情報（以下、「タグＩＤ」とする。）を取得する。そして、携帯端末１２０ａは、照合情報の照合要求及びタグＩＤをサーバ１５０に送信する。
【００４１】
サーバ１５０は、照合情報の照合要求を受信すると、サーバ１５０の記憶装置に保存されている照合情報と、携帯端末１２０ａが送信したタグＩＤとを照合する。図５に示す実施形態では、照合が成功した場合のシーケンスを示す。そして、サーバ１５０は、照合が成功した旨の示す結果を携帯端末１２０ａに送信する。
【００４２】
携帯端末１２０ａは、成功した旨を示す照合結果をサーバ１５０から受信すると、画像共有アプリの動作モードを参加者モードから発表者モードに切り替え、ユーザの操作に応じて操作情報をサーバ１５０に送信する。サーバ１５０は、携帯端末１２０ａから操作情報を受信すると、携帯端末１２０ａの識別情報が関連付けられた会議の識別情報に関連付けられている携帯端末の識別情報が示す携帯端末１２０ｂに操作情報を送信する。携帯端末１２０ｂは、サーバ１５０から操作情報を受信すると、当該操作情報が示す共有対象のドキュメント画像を表示する。
【００４３】
図６は、図１〜図５に示す実施形態の携帯端末が実行する処理の一実施形態を示すフローチャートである。以下、図６を参照して、携帯端末１２０ａがＮＦＣタグ１３０を検出した場合に実行する処理について説明する。
【００４４】
図６に示す処理は、ステップＳ６００から開始し、ステップＳ６０１では、携帯端末１２０ａの画像共有アプリ４０４が、ＮＦＣタグ１３０からタグＩＤを取得する。ステップＳ６０２では、画像共有アプリ４０４は、照合要求及びタグＩＤをサーバ１５０に送信する。
【００４５】
ステップＳ６０３では、画像共有アプリ４０４は、サーバ１５０から照合結果を受信したか否か判断する。照合結果を受信していない場合は（ｎｏ）、ステップＳ６０３の処理が反復する。一方、照合結果を受信した場合は（ｙｅｓ）、ステップＳ６０４に処理が分岐する。
【００４６】
ステップＳ６０４では、画像共有アプリ４０４は、照合結果が成功であるか否か判断する。照合結果が失敗を示す場合は（ｎｏ）、ステップＳ６０６で処理が終了する。照合結果が成功を示す場合は（ｙｅｓ）、ステップＳ６０５に処理が分岐する。ステップＳ６０５では、画像共有アプリ４０４は、動作モードを参加者モードから発表者モードに切り替え、操作情報をサーバ１５０に送信し、ステップＳ６０６で処理が終了する。
【００４７】
図７は、本発明のサーバが実行する処理の一実施形態を示すフローチャートである。以下、図７を参照して、サーバ１５０が携帯端末から照合情報の照合要求を受信した場合に実行する処理について説明する。
【００４８】
図７に示す処理は、ステップＳ７００から開始し、ステップＳ７０１では、サーバ１５０の画像共有管理アプリ４０７が、照合情報の照合要求と共に受信したタグＩＤと、照合情報としてサーバ１５０の記憶装置に保存されているタグＩＤとを照合する。
【００４９】
ステップＳ７０２では、画像共有管理アプリ４０７は照合結果を判断する。照合結果が成功である場合は、ステップＳ７０３に処理が分岐する。ステップＳ７０３では、画像共有管理アプリ４０７は、照合が成功した旨を示す照合結果を携帯端末１２０ａに送信し、ステップＳ７０５で処理が終了する。
【００５０】
一方、照合結果が失敗である場合は、ステップＳ７０４に処理が分岐する。ステップＳ７０４では、画像共有管理アプリ４０７は、照合が失敗した旨を示す照合結果を携帯端末１２０ａに送信し、ステップＳ７０５で処理が終了する。
【００５１】
図８は、本発明の画像共有システムの別の実施形態を示す図である。以下、図８〜図１１を参照して、画像共有システム８００について、画像共有システム１００との相違点を中心に説明する。
【００５２】
画像共有システム１００は、携帯端末１２０ａ〜１２０ｄと、ＮＦＣタグ１３０と、アクセスポイント１４０とを含む。携帯端末１２０ａ〜１２０ｄは、アクセスポイント１４０を介して相互に通信する。
【００５３】
ＮＦＣタグ１３０は、照合情報である役割情報８３０を保持している。役割情報８３０は、ＮＦＣタグ１３０と近距離無線通信を確立した携帯端末のユーザが発表者であることを示す情報であり、役割情報であることを示す属性情報（Conference Role）と、共有対象の画像を提供する発表者であることを示す値（Presenter）とで構成される。ＮＦＣタグ１３０は、携帯端末１２０ａ〜１２０ｄの接近によって通電すると、近距離無線通信によって役割情報８３０を当該携帯端末に送信する。
【００５４】
携帯端末１２０ａは、ＮＦＣタグ１３０から役割情報８３０を受信すると、当該照合情報と、携帯端末１２０ａが保持する照合情報である役割情報８２０とを照合する。役割情報８２０は、役割情報８３０と同じ属性情報及び値で構成される。
【００５５】
本実施形態では、照合情報として役割情報を採用するが、ＮＦＣタグ１３０の識別情報を照合情報として採用してもよい。また、図１〜図７に示す実施形態では、照合情報としてＮＦＣタグ１３０の識別情報を採用するが、役割情報を照合情報として採用してもよい。
【００５６】
図９は、画像共有システム８００が実行する処理の一実施形態を示すシーケンス図である。以下、図９を参照して、携帯端末１２０ａのユーザが発表者となる場合について説明する。
【００５７】
まず、携帯端末１２０ａ，１２０ｂのユーザが、それぞれ画像共有アプリを起動する。次に、携帯端末１２０ａのユーザが、携帯端末１２０ａをＮＦＣタグ１３０にかざすと、携帯端末１２０ａがＮＦＣタグ１３０を検出し、ＮＦＣタグ１３０から照合情報である役割情報を取得する。次いで、携帯端末１２０ａは、携帯端末１２０ａの記憶装置に保存されている役割情報と、ＮＦＣタグ１３０から取得した役割情報とを照合する。図９に示す実施形態では、照合が成功した場合のシーケンスを示す。
【００５８】
役割情報の照合が成功した場合、携帯端末１２０ａは、画像共有アプリの動作モードを参加者モードから発表者モードに切り替える。次いで、携帯端末１２０ａは、送信先の端末情報の要求を送信する。本実施形態では、携帯端末１２０ａは、ブロードキャストによって送信先の端末情報の要求を送信する。
【００５９】
送信先の端末情報の要求を受信した携帯端末１２０ｂは、送信先の端末情報として携帯端末１２０ｂの識別情報を携帯端末１２０ａに送信する。携帯端末１２０ａは、送信先の端末情報を受信すると、送信先の端末情報が示す携帯端末に操作情報を送信する。携帯端末１２０ｂは、携帯端末１２０ａから操作情報を受信すると、当該操作情報が示す共有対象のドキュメント画像を表示する。
【００６０】
図１０は、図８及び図９に示す実施形態の携帯端末が実行する処理の一実施形態を示すフローチャートである。以下、図１０を参照して、携帯端末１２０ａがＮＦＣタグ１３０を検出した場合に実行する処理について説明する。
【００６１】
図１０に示す処理は、ステップＳ１０００から開始し、ステップＳ１００１では、携帯端末１２０ａの画像共有アプリ４０４が、ＮＦＣタグ１３０から照合情報である役割情報を取得する。ステップＳ１００２では、画像共有アプリ４０４は、ＮＦＣタグ１３０から取得した役割情報と、照合情報として携帯端末１２０ａの記憶装置に保存されている役割情報とを照合する。
【００６２】
ステップＳ１００３では、画像共有アプリ４０４は照合結果を判断する。照合結果が失敗である場合は（ｎｏ）、ステップＳ１００８で処理が終了する。一方、照合結果が成功である場合は（ｙｅｓ）、ステップＳ１００４に処理が分岐する。
【００６３】
ステップＳ１００４では、画像共有アプリ４０４は、動作モードを参加者モードから発表者モードに切り替える。ステップＳ１００５では、画像共有アプリ４０４は、送信先の端末情報の要求を送信する。ステップＳ１００６では、画像共有アプリ４０４は、送信先の端末情報を受信したか否か判断し、送信先の端末情報を受信していない場合は（ｎｏ）、ステップＳ１００６の処理を反復する。
【００６４】
一方、送信先の端末情報を受信した場合は（ｙｅｓ）、ステップＳ１００７に処理が分岐する。ステップＳ１００７では、画像共有アプリ４０４は、送信先の端末情報が示す携帯端末に操作情報を送信し、ステップＳ１００８で処理が終了する。
【００６５】
これまで本実施形態につき説明してきたが、本発明は、上述した実施形態に限定されるものではなく、本実施形態の構成要素を変更若しくは削除し、又は本実施形態の構成要素に他の構成要素を追加するなど、当業者が想到することができる範囲内で変更することができる。いずれの態様においても、本発明の作用効果を奏する限り、本発明の範囲に含まれるものである。
【符号の説明】
【００６６】
１００…画像共有システム、１１０…ネットワーク、１２０ａ〜１２０ｄ…携帯端末、１３０…ＮＦＣタグ、１４０…アクセスポイント、１５０…サーバ
【先行技術文献】
【特許文献】
【００６７】
【特許文献１】特開２０００−９２２１７号公報
【図１】
2015135597.tif 000003
【図２】
2015135597.tif 000004
【図３】
2015135597.tif 000005
【図４】
2015135597.tif 000006
【図５】
2015135597.tif 000007
【図６】
2015135597.tif 000008
【図７】
2015135597.tif 000009
【図８】
2015135597.tif 000010
【図９】
2015135597.tif 000011
【図１０】
2015135597.tif 000012